(57)【要約】【課題】位置ずれのない鮮明な画像を形成できる光書込み装置を提供する。【解決手段】光ビームＬ１を照射する光源４８と、その光源４８から照射された光ビームＬ１を主走査方向に偏向する光偏向器（偏向手段）４２とを備え、光源４８は保持部材４６によって保持され、その保持部材４６は軸受６１を介してハウジング（取付部材）３１に回動自在に取り付けられるとともに、保持部材４６の回動中心線Ａと光ビームＬ１の光軸とが所定の角度θをなすように設けられ、保持部材４６の回動によって光ビームＬ１が副走査方向に移動するようにする。【選択図】図４
2005297203.tif 000002
【特許請求の範囲】
【請求項１】
光ビームを照射する光源と、
該光源から照射された光ビームを主走査方向に偏向する偏向手段とを備えた光書込み装置において、
前記光源は保持部材によって保持され、該保持部材は軸受を介して取付部材に回動自在に取り付けられるとともに、前記保持部材の回動中心線と前記光ビームの光軸とが所定の角度をなすように設けられ、
前記保持部材の回動によって前記光ビームが副走査方向に移動することを特徴とする光書込み装置。
【請求項２】
前記軸受が滑り軸受であることを特徴とする請求項１に記載の光書込み装置。
【請求項３】
前記軸受がコロ軸受であることを特徴とする請求項１に記載の光書込み装置。
【請求項４】
前記光源を保持した保持部材を複数備えることを特徴とする請求項１ないし３のいずれかに記載の光書込み装置。
【請求項５】
請求項１ないし４のいずれかに記載の光書込み装置を備えることを特徴とする画像形成装置。
【発明の詳細な説明】
【技術分野】
【０００１】
本発明は、光ビームを照射する光源と、その光源から照射された光ビームを主走査方向に偏向する偏向手段とを備えた光書込み装置およびその光書込み装置を備えた画像形成装置に関する。
【背景技術】
【０００２】
走査光学系に半導体レーザ等を用いた従来の電子写真方式のカラー画像形成装置では、原稿を読み取り走査して得られるカラー画像信号に応じて、変調されたレーザビームを感光体または感光体ベルト等の像担持体に照射して静電潜像を形成し、この静電潜像を対応する色のトナーで現像した後に用紙に転写する。
このような画像形成装置には、各色毎に独立した画像形成部を有し、ブラック、イエロー、マゼンタ、シアンの各色の画像を１枚の転写紙（記録媒体）に重ねてカラー画像を形成する４タンデムエンジンタイプのものがあるが、このような画像形成装置では、各色の画像を重ねて形成する際の位置ずれ、すなわち色ずれが問題となる。
【０００３】
上記画像形成装置の一例としてデジタルカラー複写機の場合、位置ずれ（色ずれ）の要因は、各像担持体の取付精度誤差および周速誤差、像担持体に対する露光位置精度誤差、無端状搬送手段（例えば転写ベルト）の線速誤差等があげられる。この位置ずれを極力回避するため、各々の部品の寸法精度ならびに、部品の取付精度を高めることにより対処していたが、部品の製造コストや組立コストが高価になり、生産性が悪いという問題がある。
また、各部品等の経時的変化による位置精度や部品交換時の取付精度にばらつきがあるため、各部品の取付位置を再調整する必要が生じ、手間がかかるという問題がある。
【０００４】
これを解決する方法として、例えば以下に示す特許文献１や特許文献２に記載されている方法が提案されている。
特許文献１では、記録媒体を主走査方向に複数領域に分割し、その各領域に各色の所定画像を形成し、それぞれの位置ずれを測定し、その測定結果に応じて、各像担持体への書込みタイミングを補正する画像形成装置が開示されている。この画像形成装置では、ある色のパターン画像を基準にして各色の相対的な位置ずれを演算するので、位置ずれ量の演算誤差を低減することができるとされている。
特許文献２では、転写ベルトなどの無端状搬送手段上にカラー測定用のパターン画像を４色分形成し、ある色のパターン画像を基準にして各色の相対的な位置ずれを演算する画像形成装置が開示されている。これによって、従来、パターン画像を転写紙上に転写してカラー測定を行っていたために生じていた、転写紙の搬送しわなどに起因する位置ずれ量の測定誤差を回避することができるとされている。また、ある色のパターン画像を基準にして各色の相対的な位置ずれを演算するので、位置ずれ量の演算誤差を低減することができるとされている。
【０００５】
【特許文献１】特公平７−０１９０８３号公報
【特許文献２】特開平８−２４８７２１号公報
【発明の開示】
【発明が解決しようとする課題】
【０００６】
しかしながら、上記特許文献１、特許文献２などの画像形成装置では、各色毎の光書込み装置にポリゴンミラーなどの偏向器を用いている。これらの偏向器は、各色毎の画像先端書き始め前にそれぞれの偏向器の回転位相を制御した状態にし、作像中は正確に一定回転で回転駆動させる必要がある。なぜなら、各画像の位置ずれ量を書込みタイミングのみで補正する場合には、１偏向に要する時間間隔の整数倍でしか補正できない。そのため、１偏向に要する時間間隔以内の補正は、偏向器の回転位相を調整する必要がある。この様に、偏向器の回転位相を調整する為には、回転を一時的に加減速を行ないながら調節しなければならないが、偏向器は高速に回転していることからその位相調整には、時間がかかると同時に高度な技術を必要とし、非常にコストがかかってしまう。そのため、上記画像形成装置では、１偏向内の調整に対しては、詳しく言及しておらず、事実上１偏向分の位置ずれが発生してしまうという問題がある。
また、コストを抑えるため、一つの偏向器で各色のレーザビームを偏向する画像形成装置では、各色の書込み位相が必ず同一となるため、各色の位置ずれを書き込みタイミングでのみ補正する場合には、１偏向走査時間間隔の整数倍でしか補正することができず、１偏向走査分の位置ずれは補正できないことになってしまうという問題がある。
そこで本発明の目的は、位置ずれのない鮮明な画像を形成できる光書込み装置を提供することにある。
【課題を解決するための手段】
【０００７】
このため請求項１に記載の発明は、光ビームを照射する光源と、
該光源から照射された光ビームを主走査方向に偏向する偏向手段とを備えた光書込み装置において、
前記光源は保持部材によって保持され、該保持部材は軸受を介して取付部材に回動自在に取り付けられるとともに、前記保持部材の回動中心線と前記光ビームの光軸とが所定の角度をなすように設けられ、
前記保持部材の回動によって前記光ビームが副走査方向に移動することを特徴とする。
【０００８】
請求項２に記載の発明は、請求項１に記載の光書込み装置において、前記軸受が滑り軸受であることを特徴とする。
【０００９】
請求項３に記載の発明は、請求項１に記載の光書込み装置において、前記軸受がコロ軸受であることを特徴とする。
【００１０】
請求項４に記載の発明は、請求項１ないし３のいずれかに記載の光書込み装置において、前記光源を保持した保持部材を複数備えることを特徴とする。
【００１１】
請求項５に記載の発明は、請求項１ないし４のいずれかに記載の光書込み装置を備えることを特徴とする画像形成装置である。
【発明の効果】
【００１２】
請求項１に記載の発明によれば、光ビームを照射する光源と、その光源から照射された光ビームを主走査方向に偏向する偏向手段とを備えた光書込み装置において、光源は保持部材によって保持され、その保持部材は軸受を介して取付部材に回動自在に取り付けられるとともに、保持部材の回動中心線と光ビームの光軸とが所定の角度をなすように設けられ、保持部材の回動によって光ビームが副走査方向に移動するので、保持部材に保持された光源から照射される光ビームが副走査方向に移動することが容易となり、画像の位置ずれを適切に補正することによって、位置ずれのない鮮明な画像を形成できる光書込み装置を提供することができる。また、軸受により保持部材の微小回転運動による摩擦力の影響を低減させることができ、加えて、軸受に対して軸受を高剛性に取り付けることが容易にでき、取付部材と保持部材とを直接取り付ける場合の摩擦力の低減とそれと相反する高剛性化を同時に実現することができる。
【００１３】
請求項２に記載の発明によれば、軸受が滑り軸受であるので、低コストの光書込み装置を提供することができる。
【００１４】
請求項３に記載の発明によれば、軸受がコロ軸受であるので、軸受のスラスト方向の荷重に耐え、より高剛性な軸受を備えた光書込み装置を提供することができる。
【００１５】
請求項４に記載の発明によれば、光源を保持した保持部材を複数備えるので、マルチビームのビームピッチ補正に適用した光書込み装置を提供することができる。
【００１６】
請求項５に記載の発明によれば、請求項１ないし４のいずれかに記載の効果を奏する光書込み装置を備えた画像形成装置を提供することができる。
【発明を実施するための最良の形態】
【００１７】
以下、図面を参照しつつこの発明を実施するための最良の形態について詳述する。
図１に示すカラープリンタ（画像形成装置）は、複数の像担持体として光導電性感光体（以下、感光体）３Ｋ，３Ｍ，３Ｃ，３Ｙを略水平に並置したフルカラー画像形成装置であり、この４つの感光体３Ｋ，３Ｍ，３Ｃ，３Ｙは、例えば図に対して右から順にブラック（Ｋ）、マゼンタ（Ｍ）、シアン（Ｃ）、イエロー（Ｙ）の各色に対応した画像を形成するものである。なお、色の順序はこの限りではなく任意に設定してもよい。
【００１８】
その４つの感光体３Ｋ，３Ｍ，３Ｃ，３Ｙの各々の周囲には、電子写真プロセスにより画像形成を行うための帯電部（帯電ローラ、帯電ブラシ、帯電チャージ等）６Ｋ，６Ｍ，６Ｃ，６Ｙと、光ビームＬ１，Ｌ２，Ｌ３，Ｌ４を感光体３Ｋ，３Ｍ，３Ｃ，３Ｙに照射する光書込み装置５と、Ｙ，Ｍ，Ｃ，Ｋの各色の現像部８Ｋ，８Ｍ，８Ｃ，８Ｙと、クリーニング部（クリーニングブレード、クリーニングブラシ等）７Ｋ，７Ｍ，７Ｃ，７Ｙ、転写搬送ベルト２２ａ及びその裏面に配置された転写ローラ（転写手段）１４並びに転写搬送ベルト２２ａを搬送するためのローラ１５，１６，１７を備えた転写搬送装置２２などが配設されており、それぞれの感光体３Ｋ，３Ｍ，３Ｃ，３Ｙに各色画像形成を行うことが可能となっている。なお、転写搬送装置２２は感光体３Ｋ，３Ｍ，３Ｃ，３Ｙの並設方向と略平行となるように配置される。
本体ケースＣには、感光体３Ｋ，３Ｍ，３Ｃ，３Ｙを保持する保持部材（鉄製のフレーム）と、転写搬送ベルト２２ａを保持する保持部材（鉄製のフレーム）と、これらの保持部材に取り付けられた樹脂製のカバーとから構成されている。なお、帯電部６Ｋ，６Ｍ，６Ｃ，６Ｙ、現像部８Ｋ，８Ｍ，８Ｃ，８Ｙ、クリーニング部７Ｋ，７Ｍ，７Ｃ，７Ｙ、転写搬送装置２２、光書込み装置５も、それぞれ保持部材に取り付けられている。
【００１９】
感光体３Ｋ，３Ｍ，３Ｃ，３Ｙは、円筒状に形成され、駆動源（図示せず）により回転駆動される。感光体３Ｋ，３Ｍ，３Ｃ，３Ｙの外周面部には感光層が設けられており、感光体３Ｋ，３Ｍ，３Ｃ，３Ｙの表面である外周面３ａは被走査面とされている。光書込装置５から出射された光ビームＬ１，Ｌ２，Ｌ３，Ｌ４が感光体３Ｋ，３Ｍ，３Ｃ，３Ｙの外周面３ａにスポット照射されることにより、感光体３Ｋ，３Ｍ，３Ｃ，３Ｙの外周面３ａには画像情報に応じた静電潜像が書き込まれる。
帯電部６Ｋ，６Ｍ，６Ｃ，６Ｙは、感光体３Ｋ，３Ｍ，３Ｃ，３Ｙの外周面３ａを一様に帯電するもので、感光体３Ｋ，３Ｍ，３Ｃ，３Ｙに対して非接触方式のものが採用されている。
現像部８Ｋ，８Ｍ，８Ｃ，８Ｙは、感光体３Ｋ，３Ｍ，３Ｃ，３Ｙへのトナーの供給を行い、供給されたトナーが感光体３Ｋ，３Ｍ，３Ｃ，３Ｙの外周面３ａに書き込まれた静電潜像に付着することにより感光体３Ｋ，３Ｍ，３Ｃ，３Ｙ上の静電潜像がトナー像として顕像化させるもので、感光体３Ｋ，３Ｍ，３Ｃ，３Ｙに対して非接触方式のものが採用されている。
クリーニング部７Ｋ，７Ｍ，７Ｃ，７Ｙは、感光体３Ｋ，３Ｍ，３Ｃ，３Ｙの外周面３ａに付着している残留トナーをクリーニングするもので、感光体３Ｋ，３Ｍ，３Ｃ，３Ｙの外周面３ａにブラシを接触させるブラシ接触方式のものが採用されている。
転写搬送ベルト２２ａは、樹脂フィルム又はゴムを基体として形成されたループ状のベルトで、感光体３Ｋ，３Ｍ，３Ｃ，３Ｙ上に形成されたトナー像が転写される。この転写搬送ベルト２２ａは、ローラ１５，１６，１７により支持されて矢印方向へ回転駆動される。
これらのローラ１５，１６，１７が本体ケースＣの保持部材に取り付けられており、これにより、転写搬送ベルト２２ａは、ローラ１５，１６，１７を介して本体ケースＣの保持部材に取り付けられている。したがって、ローラ１５，１６，１７は、本体ケースＣの保持部材とともに、転写搬送ベルト２２ａを保持するベルト保持部材とされる。
【００２０】
ここで、これらのローラ１５，１６，１７の線膨張係数は、本体ケースＣの線膨張係数と同じである。転写搬送ベルト２２ａの内周面側（ループの内側）には、各感光体３Ｋ，３Ｍ，３Ｃ，３Ｙ上のトナー像を転写搬送ベルト２２ａ上に転写させるために転写搬送ベルト２２ａを感光体３Ｋ，３Ｍ，３Ｃ，３Ｙに押圧する４個の転写ローラ１４が配置されている。転写搬送ベルト２２ａの外周面側（ループの外側）には、転写搬送ベルト２２ａの外周面に付着した残留トナーや紙粉等をクリーニングするクリーニング部１５が配置されている。
本体ケースＣ内における光書込み装置５の下方には、記録媒体（用紙）が積層保持される給紙カセット１３が配置されている。給紙カセット１３内に積層保持されている記録媒体は、最上位のものから順に分離給紙される。
本体ケースＣ内には、給紙カセット１３内から分離給紙された記録媒体が搬送される搬送経路２３が形成されている。この搬送経路２３上には、給紙ローラ１８ａ、レジストローラ１８ｂ、中間転写ローラ１９、定着部２０、排紙ローラ２１等が配置されている。
レジストローラ１８ｂは、所定のタイミングで間欠的に回転駆動されるローラである。このレジストローラ１８ｂが間欠的に回転駆動されることにより、レジストローラ１８ｂの位置まで搬送されて停止していた記録媒体が、中間転写ベルト５と中間転写ローラ１９とにより挟まれる転写位置へ送り込まれ、この転写位置において転写搬送ベルト２２ａ上のトナー像が記録媒体に転写される。ここに、転写搬送ベルト２２ａと中間転写ローラ１９とにより転写部が構成されている。
定着部２０は、記録媒体上に転写されたトナー像を熱と圧力とを加えて記録媒体に定着させる部分である。定着部２０内を通過する過程においてトナー像が定着された記録媒体は、排紙ローラ２１により本体ケースＣの上面部に形成されている排紙トレイ２４上に排紙される。
【００２１】
ここで、光書込み装置５は、図２，３に示すように、光ビームを照射するレーザ発行素子（光源）４８を備えた４つのＬＤユニット４１Ｃ，４１Ｙ，４１Ｋ，４１Ｍと各ＬＤユニット４１Ｃ，４１Ｙ，４１Ｋ，４１Ｍから照射される光ビームＬ１，Ｌ２，Ｌ３，Ｌ４を対称な２方向の主走査方向に振り分けて偏向走査する光偏向器（偏向手段）４２と、光偏向器４２により偏向走査される光ビームＬ１，Ｌ２，Ｌ３，Ｌ４をそれぞれ対応する感光体３Ｃ，３Ｙ，３Ｋ，３Ｍの被走査面である外周面３ａ上に所望の大きさのスポットで結像する結像光学系（ｆθレンズ）４３、光ビームＬ１〜Ｌ４の走査開始タイミングを検知する同期光学系４４ａ，４４ｂ，４４ｃ，４４ｄ、光ビームＬ１〜Ｌ４を折り返して感光体３Ｃ，３Ｙ，３Ｋ，３Ｍの外周面３ａ上に導くための折返しミラー４５ａ，４５ｂ等の光学部材からなるを備えており、これらの構成部材は一つのハウジング（取付部材）３１内に収納されている。
ハウジング３１の上面には光ビームＬ１〜Ｌ４が通過する開口３３が設けられ、その開口３３には防塵ガラス３４が取り付けられている。
光偏向器４２は、２段の回転多面鏡４９、この回転多面鏡４９を回転させる多面鏡モータ５０、回転多面鏡４２を覆う防音ガラス５１などから構成されている。
ＬＤユニット４１Ｃ，４１Ｙ，４１Ｋ，４１Ｍは、それぞれ、レーザ発光素子（光源）４８と、レーザ発光素子４８から射出された発散光を略平行化するコリメートレンズ４７と、レーザ発光素子駆動回路基板とが保持部材４６により保持されて構成されている。
すなわち、この光書込み装置５には、レーザ発行素子（光源）４８を保持した保持部材４６を複数備える。
同期光学系４４ａ，４４ｂ，４４ｃ，４４ｄは、同期検知用ミラー４４ａ、結像レンズ４４ｂ、光電素子４４ｃを持つ電気回路基板４４ｄ、それらを保持する保持部材（図示せず）から構成されている。
【００２２】
この光書込み装置５では、図示しない原稿読取装置（スキャナー）あるいは画像データ出力装置（パーソナルコンピュータ，ワードプロセッサ，ファクシミリの受信部など）から入力される色分解された画像データを光源駆動用の信号に変換し，それに従い各ＬＤユニット４１Ｃ，４１Ｙ，４１Ｋ，４１Ｍ内のレーザ発光素子４８を駆動して光ビームＬ１〜Ｌ４を出射する。各ＬＤユニット４１Ｃ，４１Ｙ，４１Ｋ，４１Ｍから出射された光ビームＬ１〜Ｌ４は、面倒れ補正用のアパーチャ５２、シリンダレンズ５３を通り、光偏向器４２に至り、多面鏡モータ５０で等速回転される２段の回転多面鏡４９で対称な２方向に偏向走査される。
偏向器４２の回転多面鏡４９で２ビームずつ２方向に偏向走査された光ビームは、結像光学系４３をそれぞれ通過し、折返しミラー４５ｂにより折り返されて、防塵部材３４を介して各色用の感光体６の被走査面上にスポット照射され静電潜像を書き込む。このとき、４つの光ビームＬ１〜Ｌ４の感光体３Ｃ，３Ｙ，３Ｋ，３Ｍに対する照射角度は、ほぼ同一である。
一方、書込み開始のタイミングを決定するための同期光学系４４は、結像光学系４３を通過した光ビームＬ１〜Ｌ４を同期検知用ミラー４４ａで折り返して受光し、走査開始の同期信号を出力する。ここで、同期検知とは、走査光のタイミングを取ることであるので、同期光学系４４は、通常、走査に先立って光ビームを受光するように設置されていればよいが、さらに、１走査の速度（あるいは時間）の変動を検知するために、走査後端にも検知手段を設置してもよい。図２，３には、このような走査の前後で同期を取るような構成を示した。
【００２３】
図４は、軸受を介してハウジング（取付部材）３１に取り付けられる回動機構を有するＬＤユニットの詳細を示す図である。なお、イエロー、シアン、マゼンタ、ブラックのいずれかを基準色とし、基準色以外の３色のＬＤユニットのみに回動機構を備える。ここでは、一例としてブラック（Ｋ）を基準色と定め、それ以外の３色のＬＤユニット４１Ｙ，４１Ｃ，４１Ｍに回動機構を備えるものとする。このとき、各ＬＤユニット４１Ｙ，４１Ｃ，４１Ｍの構成は同一であるので、以下では、ＬＤユニット４１Ｙについて説明し、他のＬＤユニット４１Ｃ，４１Ｍについては説明を省略する。
ＬＤユニット４１Ｙは、レーザ発光素子４８、コリメートレンズ４７、およびこれらをを保持する保持部材４６からなり、光学ハウジング３１に位置決めされた軸受６１の内輪側に保持部材４６を回動自在に取付けられる。ここで、ＬＤユニット４１Ｙの回動中心線Ａと光ビームＬ４の光軸は所定の角度θを保つように配設される。ＬＤユニット４１Ｙの回動機構は、図５に示すように、モータ６２とギア６２ａによりアジャスタ６３を上下運動することで、バネ６４でアジャスタ６３に接触している保持部材４６を回動させる。
図６に示すように、この回動機構によって移動された光ビームＬ４は、感光体３Ｙ上を副走査方向に移動する。
【００２４】
すなわち、光ビームＬ４を照射する光源４８と、その光源４８から照射された光ビームＬ４を主走査方向に偏向する光偏向器（偏向手段）４２とを備えた光書込み装置５において、光源４８は保持部材４６によって保持され、その保持部材４６は軸受６１を介してハウジング（取付部材）３１に回動自在に取り付けられるとともに、保持部材４６の回動中心線Ａと光ビームＬ４の光軸とが所定の角度θをなすように設けられ、保持部材４６の回動によって光ビームＬ４が副走査方向に移動する。
なお、軸受６１は滑り軸受であってもよいし、コロ軸受であってもよい。
【００２５】
図７，８は、カラープリンタ（画像形成装置）の位置ずれを検出する様子を示した図であり、転写搬送ベルト２２ａ上に、Ｋ，Ｍ，Ｃ，Ｙの各色毎の測定用パターン画像８２を一定間隔ａで形成している。なお、図８は、図７をＸ方向から見た部分拡大図である。
パターン用画像信号発生手段からの信号によってそれぞれ、感光体３Ｋ，３Ｍ，３Ｃ，３Ｙ上に顕像化された測定用パターン画像は転写ローラ１４にて、転写搬送ベルト２２ａに転写される。各測定用パターン画像８２Ｙ、８２Ｍ、８２Ｃ、８２Ｋは、転写搬送ベルト２２ａの搬送方向ｐとほぼ直交する方向に延びた線状のパターンである。そして、測定用パターン画像８２Ｙ、８２Ｍ、８２Ｃ、８２Ｋは転写搬送ベルト２２ａの移動に伴って順次、センサ８１の下を通過することによって光学的に検知される。
【００２６】
測定用パターン画像８２Ｙ、８２Ｍ、８２Ｃ、８２Ｋの間隔ａは、予めそれぞれの感光体３Ｋ，３Ｍ，３Ｃ，３Ｙに対しての露光タイミングを設定することにより任意に設定可能な数値であり、センサ検知時間と合わせることで、基準色からの副走査方向の補正値を決定する。
この補正値に基づき、各ＬＤユニットの保持部材４６を回動させるモータ６２を駆動することで、副走査方向の感光体上のビームスポットの位置を移動して変更する。なお、同時に主走査方向の位置も変化するが、この変化分は同期光学系４４ａ，４４ｂ，４４ｃ，４４ｄにて抑制することができる。
【００２７】
上述のように、この発明は１つの用紙（記録媒体）上に各色の画像を重ねて形成する画像形成装置を対象とし、複数の感光体（像担持体）３Ｋ，３Ｍ，３Ｃ，３Ｙから、転写搬送ベルト２２ａ上に順次形成される各色の測定用パターン画像８２Ｙ、８２Ｍ、８２Ｃ、８２Ｋを転写搬送ベルト２２ａ上で検知するセンサ８１などの検知手段と、そのセンサ８１による検知で、各色毎の測定用パターン画像８２Ｙ、８２Ｍ、８２Ｃ、８２Ｋのうち基準となる１つの測定用パターン画像、例えばブラックの測定用パターン画像８２Ｋと他の色の測定用パターン画像、例えばイエロー、マゼンダ、シアンの測定用パターン画像８２Ｙ、８２Ｍ、８２Ｃとの間隔を測定するカウンタなどの測定手段の測定に基づいて測定用パターン画像のずれ量を演算する。
【００２８】
また、この発明の画像形成装置には、この測定用パターン画像のずれ量を感光体３Ｋ，３Ｍ，３Ｃ，３Ｙから転写搬送ベルト２２ａへの画像書出しタイミング調整値（１偏向走査時間間隔の整数倍）とその余りとに分解する演算手段を備える。これらの位置ずれ補正値用いて、画像書出しタイミング発生回路などの調整手段により調整し、かつその余りの補正値から、ビーム照射位置を調整する調整手段を有する。
このように、ビーム位置を数十ミクロンを正確に副走査方向に動かす方法として、レーザ発光素子（ＬＤ６２）とカップリング光学系（コリメートレンズ４７）を保持する保持部材４６を備えるＬＤユニットが光偏向器および感光体に光ビームを照射させる他の光学素子を保持する光学ハウジングに回転自在に取り付けられるとともに、ＬＤユニットの回動中心線と光ビームの光軸とが主に主走査方向に所定のずれ角度θを有し、光偏向器のレーザ偏向位置でＬＤユニットの回動中心線と光ビームの光軸とを略一致させ、光学ハウジングに固定した光ビームの形状を成形するアパーチャに対してＬＤユニットを回転させる構成としている。
【００２９】
ただし、上述のＬＤユニットの回動は、光学ハウジングに対し微小な角度変化であり、その微小回動の際には摩擦力が回転精度に大きく悪影響を及ぼすため、その摩擦力を低減させる目的で光学ハウジングとＬＤユニットの間に軸受を有している。
この構成とすることより、上記ＬＤユニットを回動させた場合でも、アパーチャ以降を通過する光束は大きく変化することがないことから、感光体上では数μｍ単位で制御することができる。
【図面の簡単な説明】
【００３０】
【図１】この発明の光書込み装置を備える画像形成装置の一例としてのカラープリンタの概略断面図である。
【図２】図１に備える光書込み装置の概略平面図である。
【図３】図２のＹ−Ｙ´断面図である。
【図４】図２の光書込み装置のＬＤユニットと光偏向器との位置関係を示した拡大模式図である。
【図５】図４のＬＤユニットを保持部材の回動中心線の光偏向器側から見た図である。
【図６】図５の保持部材が回動することにより感光体上で光ビームが移動する様子を示した図である。
【図７】図１の画像形成装置に備える測定用パターン画像のセンサと転写搬送ベルトとの位置関係を示す図である。
【図８】図７のセンサと測定用パターン画像をＸ方向から見た図である。
【符号の説明】
【００３１】
３Ｋ，３Ｍ，３Ｃ，３Ｙ    感光体（像担持体）
３ａ    外周面
５    光書込み装置
６Ｋ，６Ｍ，６Ｃ，６Ｙ    帯電部
７Ｋ，７Ｍ，７Ｃ，７Ｙ    クリーニング部
８Ｋ，８Ｍ，８Ｃ，８Ｙ    現像部
１３    給紙カセット
１４    転写ローラ
１５，１６，１７    ローラ
１８ａ    給紙ローラ
１８ｂ    レジストローラ
１９    中間転写ローラ
２０    定着部
２１    排紙ローラ
２２    転写搬送装置
２２ａ    転写搬送ベルト
２３    搬送経路
２４    排紙トレイ
３１    ハウジング
３３    開口
３４    防塵ガラス
４１Ｃ，４１Ｙ，４１Ｋ，４１Ｍ    ＬＤユニット
４２    光偏向器（偏向手段）
４３    結像光学系（ｆθレンズ）
４４ａ，４４ｂ，４４ｃ，４４ｄ    同期光学系
４５ａ，４５ｂ    折り返しミラー
４６    保持部材
４７    コリメートレンズ
４８    レーザ発光素子（光源）
４９    回転多面鏡
５０    多面鏡モータ
５１    防音ガラス
５２    アパーチャ
５３    シリンダレンズ
６１    軸受
６２    モータ
６２ａ    ギア
６３    アジャスタ
６４    バネ
Ａ    回動中心線
Ｃ    本体ケース
Ｌ１，Ｌ２，Ｌ３，Ｌ４    光ビーム
【図１】
2005297203.tif 000003
【図２】
2005297203.tif 000004
【図３】
2005297203.tif 000005
【図４】
2005297203.tif 000006
【図５】
2005297203.tif 000007
【図６】
2005297203.tif 000008
【図７】
2005297203.tif 000009
【図８】
2005297203.tif 000010